(57)【要約】  本発明は、異なる設置態様とされた場合にも、うなり音を抑制することが可能な液晶表示装置を提供することを目的としている。  液晶表示装置（１０）の調光制御部（３１）は、パルス幅変調信号（Ｓ２）により冷陰極管（１７）を調光駆動するものであって、前記パルス幅変調信号（Ｓ２）を互いに異なる複数の調光周波数で出力可能であり、当該液晶表示装置（１０）の設置態様（壁掛けモード、又はスタンド支持モード）に応じて、前記複数の調光周波数の中から任意の調光周波数を選択可能である。  液晶表示装置（１０）は、第１設置態様である壁掛けモードと、第２設置態様であるスタンド支持モードとで、最もうなり音が発生し難い調光周波数がそれぞれ異なる。メモリ（３３）には、壁掛けモードを示す設置態様信号（Ｓ１）に対しては調光周波数２３０Ｈｚが記憶され、スタンド支持モードを示す設置態様信号（Ｓ１）に対しては調光周波数２７０Ｈｚが記憶されている。  本発明は、液晶表示装置を備えたテレビ受信装置に適用できる。
2009147946.tif 000002
【特許請求の範囲】
【請求項１】
光源と、前記光源を駆動する光源駆動手段と、を備え、
前記光源駆動手段は、パルス幅変調信号により前記光源を調光駆動するものであって、前記パルス幅変調信号を互いに異なる複数の調光周波数で出力可能であり、
当該表示装置の設置態様に応じて、前記複数の調光周波数の中から任意の調光周波数を選択可能とされていることを特徴とする表示装置。
【請求項２】
前記光源駆動手段は、前記複数の調光周波数が予め記憶された記憶手段を備えることを特徴とする請求の範囲第１項に記載の表示装置。
【請求項３】
外部からの信号を受信する信号受信部を備え、
前記調光周波数の選択は、前記信号受信部に入力された信号に基づいて行われることを特徴とする請求の範囲第１項又は請求の範囲第２項に記載の表示装置。
【請求項４】
前記調光周波数を選択するための操作が可能な調光周波数選択部を備え、
前記調光周波数の選択は、前記調光周波数選択部に対する操作に基づいて行われることを特徴とする請求の範囲第１項から請求の範囲第３項のいずれか１項に記載の表示装置。
【請求項５】
当該表示装置の設置態様を検知する設置態様検知部を備え、
前記調光周波数の選択は、前記設置態様検知部の検出結果に基づいて行われることを特徴とする請求の範囲第１項から請求の範囲第４項のいずれか１項に記載の表示装置。
【請求項６】
前記設置態様は、当該表示装置が、壁掛け型に設置された第１設置態様と、スタンドにより支持された形で設置された第２設置態様とを含むことを特徴とする請求の範囲第１項から請求の範囲第５項のいずれか１項に記載の表示装置。
【請求項７】
前記光源がその底部に取り付けられるシャーシを備え、
前記光源と前記シャーシの前記底部との間の距離が２．５ｍｍ以下であることを特徴とする請求の範囲第１項から請求の範囲第６項のいずれか１項に記載の表示装置。
【請求項８】
前記光源から照明光を供給される表示パネルを備え、
前記表示パネルは、液晶パネルとされることを特徴とする請求の範囲第１項から請求の範囲第７項のいずれか１項に記載の表示装置。
【請求項９】
請求の範囲第１項から請求の範囲第８項のいずれか１項に記載された表示装置を備えることを特徴とするテレビ受信装置。
【発明の詳細な説明】
【技術分野】
【０００１】
本発明は、表示装置、及びテレビ受信装置に関する。
【背景技術】
【０００２】
液晶表示装置に代表される非発光型の光学素子を用いた表示装置においては、液晶パネル等の表示パネルに対して光を照射すべく、当該表示パネルの背面には光源を備えるバックライト装置が設けられている。当該光源がインバータにより調光駆動されることで、表示パネルの明度等を制御することができる。【０００３】
従来光源を調光する方法としては、電圧制御調光方式とパルス幅変調（ＰＷＭ；Pulse Width Modulation）調光方式とが用いられている。電圧制御調光方式は、インバータを通じて光源に印加する電圧を変化させる調光方式であるが、調光範囲を大きく確保することができない。【０００４】
一方、パルス幅変調調光方式は、光源が周期的に点滅され、その点灯期間と消灯期間との時間比率を変化させて調光する方式である。この方式によれば、点灯期間と消灯期間の周期を調整することにより調光範囲を大きくできることから、多くの液晶表示装置のバックライト装置にパルス幅変調調光方式が採用されている。【０００５】
パルス幅変調調光方式により調光の制御を行うバックライト装置においては、光源調光時に、調光周波数の２次、３次高調波によるうなり音が生じる場合がある。当該うなり音は、使用者に不快感を与えるものであり、その発生の抑止が望まれている。かかるうなり音を抑制するために、パルス幅変調信号の調光周波数が人間の可聴帯域の上限以上に設定された発光素子駆動装置を備える表示装置が開示されている（特許文献１参照）。
【特許文献１】特開２００６−１１４３２４公報
【０００６】
（発明が解決しようとする課題）
ところで、本発明者らは、上記したうなり音の発生原因として、光源を収容するシャーシの周期的な振動に着目した。すなわち、調光周波数に基づいて振動する光源と、シャーシとが共振することにより、うなり音が発生し、さらにはうなり音が増長されると考えた。そこで、うなり音を抑制するために、シャーシの固有振動数とは異なる、すなわちシャーシと共振し難い調光周波数を選択する手段が考えられる。しかしながら、当該液晶表示装置の使用態様は多様化してきており、例えば壁掛けする形で設置される場合と、シャーシにスタンドを取り付けて支持する形で設置される場合とでは、シャーシの固有振動数が変化するため、当該シャーシと共振し難い調光周波数も変化することとなる。特に、近年液晶表示装置の薄型化が要求されているが、薄型化された液晶表示装置では、光源とシャーシとの間の距離が小さいため、これらの振動が共振し易く、うなり音の発生がより顕著になる場合がある。
【発明の開示】
【０００７】
本発明は、上記のような事情に基づいてなされたものであって、異なる設置態様とされた場合にも、うなり音を抑制することが可能な表示装置を提供することを目的としている。また、本発明は、そのような表示装置を備えたテレビ受信装置を提供することを目的とする。
【０００８】
（課題を解決するための手段）
上記課題を解決するために、本発明の表示装置は、光源と、前記光源を駆動する光源駆動手段と、を備え、前記光源駆動手段は、パルス幅変調信号により前記光源を調光駆動するものであって、前記パルス幅変調信号を互いに異なる複数の調光周波数で出力可能であり、当該表示装置の設置態様に応じて、前記複数の調光周波数の中から任意の調光周波数を選択可能とされていることを特徴とする。
【０００９】
このような構成によれば、当該表示装置の設置態様に応じて、うなり音が発生し難い調光周波数を選択することができるため、うなり音の発生を抑制することが可能となる。うなり音発生の一因として、例えば光源と、当該光源を収容するシャーシとの共振が挙げられる。光源は、パルス幅変調信号により調光駆動されるため、当該パルス幅変調信号の調光周波数に基づいて振動を生じる。この光源の振動の周波数とシャーシの固有振動数とが近い値となると、うなり音が発生ないしは増長することとなる。しかしながら、シャーシの固有振動数は、当該表示装置の設置態様により、支持部材が取り付けられたり、荷重変位が生じたりすることで変化が生じ得る。したがって、シャーシと共振し難い調光周波数は、一様に設定し難く、当該表示装置の設置態様に応じて変化し得るものとなる。そこで、本発明では、光源駆動手段が、互いに異なる複数の調光周波数でパルス幅変調信号を出力可能であり、当該表示装置の設置態様に応じて、任意の調光周波数を選択可能な構成としている。これにより、表示装置の設置態様に応じて、シャーシと共振し難い調光周波数を選択することができ、うなり音の発生を抑制することが可能となる。
【００１０】
また、前記光源駆動手段は、前記複数の調光周波数が予め記憶された記憶手段を備えるものとすることができる。
このような構成によれば、光源駆動手段は、表示装置の設置態様に応じて、記憶手段に予め記憶された複数の調光周波数のうち任意の調光周波数を選択して出力することが可能となる。さらに、このようなメモリを備えることにより、多数の調光周波数を記憶させることができ、調光周波数の選択を多様なものとすることが可能となる。
【００１１】
本発明における調光周波数の選択は、以下のように行われることが好適である。
本発明の表示装置において、外部からの信号を受信する信号受信部を備え、前記調光周波数の選択は、前記信号受信部に入力された信号に基づいて行われるものとすることができる。
このような構成によれば、使用者が当該表示装置の設置態様に基づいて、例えばリモコン装置等から信号受信部に信号を送信することで、予め設定された複数の調光周波数のうち、最もうなり音が発生し難い調光周波数を選択することが可能となる。
【００１２】
また、前記調光周波数を選択するための操作が可能な調光周波数選択部を備え、前記調光周波数の選択は、前記調光周波数選択部に対する操作に基づいて行われるものとすることができる。
このような構成によれば、使用者が当該表示装置の設置態様に基づいて、調光周波数選択部を操作することで、予め設定された複数の調光周波数のうち、最もうなり音が発生し難い調光周波数を選択することが可能となる。
【００１３】
また、当該表示装置の設置態様を検知する設置態様検知部を備え、前記調光周波数の選択は、前記設置態様検知部の検出結果に基づいて行われるものとすることができる。
このような構成によれば、当該表示装置を設置した際に、設置態様検知部がその設置態様を検知し、検知結果に基づいて予め設定された複数の調光周波数のうち、最もうなり音が発生し難い調光周波数が選択されることが可能となる。この場合、使用者自身が調光周波数を切り替える手間を省略することができる。
【００１４】
また、前記設置態様は、当該表示装置が、壁掛け型に設置された第１設置態様と、スタンドにより支持された形で設置された第２設置態様とを含むものとすることができる。
このように、当該表示装置が、壁掛け型に設置された場合と、スタンドにより支持された形で設置された場合とでは、うなり音が生じ難い調光周波数が異なる場合がある。したがって、設置態様に応じて調光周波数の選択（切替）を行うことで、うなり音の発生をより効果的に抑制することが可能となる。
【００１５】
また、前記光源がその底部に取り付けられるシャーシを備え、前記光源と前記シャーシの前記底部との間の距離が２．５ｍｍ以下であるものとすることができる。
本発明の構成は、当該表示装置が薄型化された場合に特に効果を発揮する。すなわち、当該表示装置が薄型化されることで、光源とシャーシの底部との間の距離が２．５ｍｍ以下となると、光源とシャーシとの個々の振動が共振してうなり音が増長される場合がある。そこで、本発明のおける調光周波数の選択構成を採用することにより、シャーシと共振し難い調光周波数を適宜選択することができ、当該表示装置が薄型化された場合にも、うなり音の発生を抑制することが可能となる。
【００１６】
また、前記光源から照明光を供給される表示パネルを備え、前記表示パネルは、液晶パネルとすることができる。
このような表示装置は液晶表示装置として、種々の用途、例えばテレビやパソコンのディスプレイ等に適用でき、特に大型画面用として好適である。
【００１７】
また、本発明のテレビ受信装置は、上記表示装置を備えることを特徴とする。
このようなテレビ受信装置によると、うなり音が抑制された表示装置を用いてなるため、使用者満足度の高い、高品質の装置を提供することが可能となる。
【００１８】
（発明の効果）
本発明の表示装置によると、特に当該表示装置が薄型化された場合においても、設置態様にかかわらず、うなり音を抑制することが可能となる。また、本発明のテレビ受信装置によると、特に当該テレビ受信装置が薄型化された場合においても、うなり音が抑制され、使用者満足度の高い高品質の装置を提供することが可能となる。
【図面の簡単な説明】
【００１９】
【図１】本発明の実施形態１に係るテレビ受信装置の構成を示す正面図
【図２】図１のテレビ受信装置の構成を示す分解斜視図
【図３】テレビ受信装置が備える液晶表示装置の概略構成を示す分解斜視図
【図４】図３の液晶表示装置の短辺方向に沿った断面構成を示す断面図
【図５】図３の液晶表示装置の長辺方向に沿った断面構成を示す断面図
【図６】図３の液晶表示装置における調光周波数の選択に係る構成を示すブロック図
【図７】調光周波数選択フローのチャートを示す説明図
【図８】本発明の実施形態２に係るテレビ受信装置の構成を示す側面図
【図９】図８のテレビ受信装置における調光周波数の選択に係る構成を示すブロック図
【図１０】調光周波数選択フローのチャートを示す説明図
【図１１】本発明の実施形態３に係るテレビ受信装置の構成を示す裏面図
【図１２】図１１のテレビ受信装置における調光周波数の選択に係る構成を示すブロック図
【図１３】調光周波数選択フローのチャートを示す説明図
【図１４】本発明の実施形態４における調光周波数の選択に係る構成を示すブロック図
【図１５】メモリに記憶された調光周波数のテーブルを説明する図
【図１６】調光周波数選択フローのチャートを示す説明図
【符号の説明】
【００２０】
１０…液晶表示装置（表示装置）、１１…液晶パネル（表示パネル）、１４…シャーシ、１４ａ…シャーシの底部、１７…冷陰極管（光源）、３１…調光制御部（光源駆動手段）、３３…メモリ（記憶手段）、ＭＳ…設置態様スイッチ（調光周波数選択部）、ＲＲ…リモコン受光部（信号受信部）、Ｓ…スタンド、ＳＳ…スタンドセンサ（設置態様検知部）、Ｓ２…パルス幅変調信号、ＴＶ…テレビ受信装置
【発明を実施するための最良の形態】
【００２１】
＜実施形態１＞
本発明の実施形態１を図１ないし図７によって説明する。本実施形態では、表示装置として液晶表示装置１０を備えたテレビ受信装置ＴＶについて説明する。
図１は本実施形態のテレビ受信装置の構成を示す正面図、図２は図１のテレビ受信装置の概略構成を示す分解斜視図、図３は図１のテレビ受信装置が備える液晶表示装置の概略構成を示す分解斜視図、図４は図３の液晶表示装置の短辺方向に沿った断面構成を示す断面図、図５は図３の液晶表示装置の長辺方向に沿った断面構成を示す断面図である。【００２２】
本実施形態に係るテレビ受信装置ＴＶは、図１及び図２に示すように、テレビ受信装置本体１と、チューナーＴと、スタンドＳと、リモコン装置ＲＣとを備えて構成される。テレビ受信装置本体１は、液晶表示装置（表示装置）１０と、当該液晶表示装置１０を挟むようにして収容する表裏両キャビネットＣａ，Ｃｂと、電源Ｐとからなる。当該テレビ受信装置ＴＶは、スタンドＳを取り外した場合には、部屋の壁に壁掛け型に取り付ける第１設置態様（以下、壁掛けモードともいう）で使用することができる（図１参照）。一方、テレビ受信装置本体１の下部にスタンドＳを取り付けた場合には、当該スタンドＳにより支持された形の第２設置態様（以下、スタンド支持モードともいう）で当該テレビ受信装置ＴＶを使用することができる。【００２３】
テレビ受信装置ＴＶには、図１に示すように、表キャビネットＣａの下側中央部に、リモコン装置ＲＣから生じる赤外線を受光するリモコン受光部（信号受信部）ＲＲが設けられている。リモコン装置ＲＣは、リモコン受光部ＲＲに向けて赤外線信号を送信することが可能とされ、テレビ受信装置本体１は、当該赤外線信号の受信により、チャンネルや音量の変更とともに、後述するパルス幅変調信号Ｓ２の調光周波数の選択等が行われるものとされている。【００２４】
液晶表示装置１０は、全体として横長の方形をなし、縦置き状態で表裏両キャビネットＣａ，Ｃｂ内に収容されている。この液晶表示装置１０は、図３に示すように、表示パネルである液晶パネル（表示パネル）１１と、外部光源であるバックライト装置１２とを備え、これらが枠状のベゼル１３などにより一体的に保持されている。【００２５】
次に、液晶表示装置１０を構成する液晶パネル１１及びバックライト装置１２について説明する（図３ないし図５参照）。
液晶パネル（表示パネル）１１は、一対のガラス基板が所定のギャップを隔てた状態で貼り合わせられるとともに、両ガラス基板間に液晶層が挟持された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが配されている（図４及び図５参照）。【００２６】
バックライト装置１２は、図２に示すように、光出射面側（液晶パネル１１側）に開口部１４ｂを有した略箱型をなすシャーシ１４と、シャーシ１４の開口部１４ｂを覆う形で配される拡散板１５ａと、拡散板１５ａと液晶パネル１１との間に配される複数の光学シート１５ｂと、シャーシ１４の長辺に沿って配され、拡散板１５ａの長辺縁部をシャーシ１４との間で挟んで保持するフレーム１６とを備える。さらに、シャーシ１４内には、冷陰極管（光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも拡散板１５ａ側が光出射側となっている。【００２７】
シャーシ１４は、金属製の板状部材が板金成形されたものであり、矩形平板状の底部１４ａと、その各辺から立ち上がり略Ｕ字状に折り返された外縁部２１（短辺方向の短辺外縁部２１ａ及び長辺方向の長辺外縁部２１ｂ）とからなる浅い略箱型をなしている。シャーシ１４の底部１４ａには、その長辺方向の両端部に、中継コネクタ１９を取り付けるための取付孔２２が複数穿設されている。さらに、シャーシ１４の長辺外縁部２１ｂの上面には、図４に示すように、固定孔１４ｃが穿設されており、例えばネジ等によりベゼル１３、フレーム１６、及びシャーシ１４等を一体化することが可能とされている。【００２８】
シャーシ１４の底部１４ａの内面側（冷陰極管１７と対向する面側）には反射シート２３が配設されている。反射シート２３は、合成樹脂製とされ、その表面が光反射性に優れた白色とされており、シャーシ１４の底部１４ａの内面に沿ってほぼ全域を覆う形で敷かれている。当該反射シート２３の長辺縁部は、図４に示すように、シャーシ１４の折返し外縁部２１ｂを覆うように立ち上がり、シャーシ１４と拡散板１５ａとに挟まれた状態とされている。この反射シート２３により、冷陰極管１７から出射された光を拡散板１５ａ側に反射させることが可能となっている。一方、シャーシ１４の底部１４ａの外面側（冷陰極管１７とは反対側）には、制御基板３０が形成され、当該制御基板３０が冷陰極管１７の駆動の制御を行っている。【００２９】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、管状光源たる冷陰極管１７から出射される線状の光を拡散する機能を有する。拡散板１５ａの短辺縁部はホルダ２０の第１面２０ａ上に載置されており、上下方向の拘束力を受けないものとされている。一方、拡散板１５ａの長辺縁部は、図４に示すように、シャーシ１４（反射シート２３）とフレーム１６とに挟まれることで固定されている。【００３０】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シートは拡散板１５ａと液晶パネル１１とにより挟持されている。【００３１】
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図３参照）。冷陰極管１７は、ランプクリップ１８（図４及び図５では図示せず）に把持されることで、シャーシ１４の底部１４ａ（反射シート２３）との間に僅かな間隙が設けられた状態で支持されている。これら冷陰極管１７の各端部には駆動電力を受容する端子（図示せず）が備えられ、当該端部が中継コネクタ１９に嵌め込まれ、これら中継コネクタ１９を被覆するようにホルダ２０が取り付けられている。なお本実施形態では、冷陰極管１７は、パルス幅変調信号（ＰＷＭ信号）により駆動されており、その点灯期間と消灯期間との時間比率（デューティ比）を変化させることで出射光量を減少（調光）させることが可能とされている。【００３２】
なお、本実施形態で用いた冷陰極管１７は管径が４．０ｍｍ、冷陰極管１７とシャーシ１４の底部１４ａとの間の距離が０．８ｍｍ、隣り合う冷陰極管１７間の距離が１６．４ｍｍ、冷陰極管１７と拡散板１５ａとの距離が２．７ｍｍとされている。このようにバックライト装置１２では各構成部材間で薄型化が図られており、特に冷陰極管１７と拡散板１５ａとの距離、冷陰極管１７とシャーシ１４の底部１４ａとの距離を小さくしている。そして、このようなバックライト装置１２の薄型化により、液晶表示装置１０の厚さ（つまり液晶パネル１１の表面からバックライト装置１２の裏面に至る厚さ）が１６ｍｍ、テレビ受信装置ＴＶの厚さ（つまり表側キャビネットＣａの表面から裏側キャビネットＣｂの裏面に至る厚さ）が３４ｍｍとされ、薄型のテレビ受信装置が実現されている。【００３３】
冷陰極管１７の端部を覆うホルダ２０は、白色を呈する合成樹脂製とされ、シャーシ１４の短辺方向に沿って延びる細長い略箱型をなしている（図３参照）。当該ホルダ２０は、図５に示すように、その表面側に拡散板１５ａないし液晶パネル１１を段違いに載置可能な階段状面を有するとともに、シャーシ１４の短辺方向の折返し外縁部２１ａと一部重畳した状態で配されており、折返し外縁部２１ａとともに当該バックライト装置１２の側壁を形成している。ホルダ２０のうちシャーシ１４の折返し外縁部２１ａと対向する面からは挿入ピン２４が突出しており、当該挿入ピン２４がシャーシ１４の折返し外縁部２１ａの上面に形成された挿入孔２５に挿入されることで、当該ホルダ２０はシャーシ１４に取り付けられるものとされている。【００３４】
ホルダ２０の階段状面はシャーシ１４の底部１４ａと平行な３面からなり、最も低い位置にある第１面２０ａには拡散板１５ａの短辺縁部が載置されている。さらに、第１面２０ａからは、シャーシ１４の底部１４ａに向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の折返し外縁部２１ａと重畳する位置に配され、ベゼル１３と接触するものとされている。【００３５】
次に、パルス幅変調信号の調光周波数の選択に係る構成例について、図６を用いて詳細に説明する。図６は調光周波数の選択に係る構成を示すブロック図である。
パルス幅変調信号Ｓ２の調光周波数の選択は、主に制御基板３０により行われる。上述したように、制御基板３０は、シャーシ１４の底部１４ａの外面側に取り付けられており（図４及び図５参照）、当該制御基板３０には、調光制御部（光源駆動手段）３１と点灯回路３２とが設けられている。【００３６】
調光制御部３１は、メモリ（記憶手段）３３と信号生成部３４とを含み、リモコン受光部ＲＲから出力された設置態様信号Ｓ１に基づいて、メモリ３３を参照し、冷陰極管１７の調光駆動を行うためのパルス幅変調信号Ｓ２の調光周波数を選択する。【００３７】
メモリ３３は、ＲＡＭ（Random Access Memory）等の記憶媒体により構成され、設置態様信号Ｓ１と一対一に関係付けられた調光周波数が記憶されている。かかる調光周波数は、当該テレビ受信装置ＴＶの設置態様（壁掛けモード又はスタンド支持モード）において、うなり音の音量が最も小さくなる周波数がそれぞれ記憶されている。本実施形態では、壁掛けモードを示す設置態様信号Ｓ１に対しては調光周波数：２３０Ｈｚが記憶され、スタンド支持モードを示す設置態様信号Ｓ１に対しては調光周波数：２７０Ｈｚが記憶されており、互いに異なる値の調光周波数が記憶されている。【００３８】
調光制御部３１は、上記したメモリ３３を参照して選択した調光周波数に基づいて、信号生成部３４においてパルス幅変調信号Ｓ２を生成し、当該パルス幅変調信号Ｓ２を点灯回路３２へ出力する。点灯回路３２は、調光制御部３１から出力されたパルス幅変調信号Ｓ２に基づいて、冷陰極管１７に駆動電力を供給する。【００３９】
続いて、本実施形態における調光周波数の選択動作について説明する。図７は調光周波数選択フローのチャートを示す説明図である。
まず、リモコン受光部ＲＲは、使用者のリモコン装置ＲＣの操作に伴い受信した情報に基づいて、設置態様信号Ｓ１を出力し、当該設置態様信号Ｓ１が調光制御部３１に入力される（ステップＳ１０）。【００４０】
ここで、調光制御部３１は、設置態様信号Ｓ１に基づき、メモリ３３を参照する(ステップＳ１１)。このとき、受信した設置態様信号Ｓ１が、壁掛けモードを示す信号である場合には（ステップＳ１２；ＹＥＳ）、壁掛けモード用の調光周波数（本実施形態では２３０Ｈｚ）を選択する（ステップＳ１３）。さらに、調光制御部３１は、この選択した壁掛けモード用の調光周波数に基づいて、信号生成部３４においてパルス幅変調信号Ｓ２を生成し、当該パルス幅変調信号Ｓ２を点灯回路３２に出力する（ステップＳ１４）。【００４１】
他方、受信した設置態様信号Ｓ１が、壁掛けモードを示す信号でない場合には（ステップＳ１２；ＮＯ）、本実施形態においてはスタンド支持モードであることを示すこととなる。この場合、調光制御部３１は、メモリ３３に記憶されたスタンド支持モード用の調光周波数（本実施形態では２７０Ｈｚ）を選択する（ステップＳ１５）。さらに、調光制御部３１は、この選択したスタンド支持モード用の調光周波数に基づいて、信号生成部３４においてパルス幅変調信号Ｓ２を生成し、当該パルス幅変調信号Ｓ２を点灯回路３２に出力する（ステップＳ１４）。【００４２】
以上、本実施形態に係る液晶表示装置１０によれば、パルス幅変調信号Ｓ２により冷陰極管１７を駆動する調光制御部３１を備え、当該調光制御部３１は、互いに異なる２つの調光周波数でパルス幅変調信号Ｓ２を出力可能となっている。そして、当該液晶表示装置１０の設置態様に応じて、調光制御部３１は、２つの調光周波数のうち任意の調光周波数を選択することが可能となっている。
このような構成によれば、当該液晶表示装置１０の設置態様に応じて、２つの調光周波数のうちうなり音が発生し難い調光周波数を選択することができるため、うなり音の発生を抑制することが可能となる。【００４３】
当該テレビ受信装置ＴＶ（液晶表示装置１０）は、第１設置態様たる壁掛けモードと、第２設置態様たるスタンド支持モードとにおかれる場合において、最もうなり音が発生し難い調光周波数がそれぞれ異なる。これは、例えばスタンド支持モードでは、シャーシ１４にスタンドＳが取り付けられたり、シャーシ１４自体が荷重変位を生じたりすることにより、当該シャーシ１４の固有振動数が変化するためであると考えられる。したがって、パルス幅変調信号Ｓ２の調光周波数が選択不能とされる場合には、一方の設置態様（例えば壁掛けモード）ではうなり音の発生を抑制することができたとしても、これとは異なる設置態様（例えばスタンド支持モード）ではうなり音の発生を抑制することができない場合が生じ得る。【００４４】
そこで、液晶表示装置１０の設置態様に拘らずうなり音の発生を抑制する手段として、本実施形態に係る液晶表示装置１０は、２つの調光周波数（２３０Ｈｚ，２７０Ｈｚ）のうち任意の調光周波数を選択可能な構成としている。これにより、液晶表示装置１０の設置態様ごとに、うなり音の抑制に対して最適な調光周波数を選択することが可能となる。【００４５】
また、本実施形態では、２つの調光周波数が予め記憶されたメモリ３３を備えるものとなっている。
このような構成によれば、光源制御部３１は、メモリ３３を参照することで、当該メモリ３３に予め記憶された２つの調光周波数のうち任意の調光周波数を選択して出力することが可能となる。【００４６】
また、本実施形態では、リモコン受光部ＲＲを備え、当該リモコン受光部ＲＲに入力された信号に基づいて、調光周波数が選択されるものとしている。
つまり、使用者が、リモコン装置ＲＣによって当該液晶表示装置１０の設置態様を入力することにより、設置態様を示す信号がリモコン受光部ＲＲに受信される。リモコン受光部ＲＲは、調光制御部３１に設置態様信号Ｓ１を調光制御部３１に送信し、調光制御部３１は当該設置態様信号Ｓ１に基づいて調光周波数を選択するものとなっている。したがって、使用者は、当該液晶表示装置１０の設置態様に応じて、適宜リモコン装置ＲＣの操作を行うことでうなり音の発生を抑制することができ、操作性が良く、高い使用満足度を得ることが可能となる。【００４７】
なお、当該液晶表示装置１０の工場出荷時に、予め壁掛けモード用の調光周波数（２３０Ｈｚ）に設定しておくものとしても良い。この場合、使用者が初めて当該液晶表示装置１０を設置する際に、スタンドＳにより支持する場合のみ、調光周波数をスタンド支持モード用に切り替える作業を行えばよく、さらに利便性を高めることが可能となる。【００４８】
また、本実施形態では、冷陰極管１７とシャーシ１４の底部１４ａとの間の距離が、０．８ｍｍと小さいものとなっている。
このように、当該液晶表示装置１０が薄型化され、冷陰極管１７とシャーシ１４との間の距離が小さい場合、特に２．５ｍｍ以下とされる場合には、当該冷陰極管１７とシャーシ１４との個々の振動が共振してうなり音が増長される場合がある。このように、当該液晶表示装置１０が薄型化された場合においても、本実施形態における調光周波数の選択構成を採用することで、シャーシ１４と共振し難い調光周波数を適宜選択することができ、うなり音の発生を抑制することが可能となる。【００４９】
＜実施形態２＞
次に、本発明の実施形態２を図８ないし図１０によって説明する。この実施形態２では、実施形態１に対して調光周波数の選択手段を変更したものを示す。なお、この実施形態２では、上記した実施形態１と同じ名称の部位には、同一の符号を用いるとともにその末尾に添え字-Ａを付すものとし、構造、作用及び効果について重複する説明は省略する。
図８は本実施形態に係るテレビ受信装置の構成を示す側面図である。なお、図８はスタンド支持モードとされたテレビ受信装置を示している。【００５０】
テレビ受信装置ＴＶ-Ａには、図８に示すように、その側面部にメニュー、音量等のスイッチ群とともに、設置態様スイッチ（調光周波数選択部）ＭＳが備わっている。設置態様スイッチＭＳは上下方向にスライド可能とされており、当該テレビ受信装置ＴＶ-Ａを壁掛けモードで使用する場合には上方向に、スタンド支持モードで使用する場合には下方向にスライドするものとなっている。【００５１】
上記したテレビ受信装置ＴＶ-Ａにおける、パルス幅変調信号の調光周波数の選択に係る構成例について、図９を用いて詳細に説明する。図９は調光周波数の選択に係る構成を示すブロック図である。
設置態様スイッチＭＳは、使用者により上方向にスライドされた場合には、壁掛けモードであることを示す信号を出力し、一方、下方向にスライドされた場合には、スタンド支持モードであることを示す信号を出力するものである。【００５２】
一方、シャーシ１４の底部１４ａの外面側に取り付けられた制御基板３０-Ａには、調光制御部３１-Ａと点灯回路３２-Ａとが設けられている。
調光制御部３１-Ａは、メモリ３３-Ａと信号生成部３４-Ａとを含み、設置態様スイッチＭＳから出力された設置態様信号Ｓ３に基づいて、メモリ３３-Ａを参照し、冷陰極管１７-Ａの調光駆動を行うためのパルス幅変調信号Ｓ２の調光周波数を選択する。【００５３】
メモリ３３-Ａには、壁掛けモードを示す設置態様信号Ｓ３に対しては調光周波数：２３０Ｈｚが記憶され、スタンド支持モードを示す設置態様信号Ｓ３に対しては調光周波数：２７０Ｈｚが記憶されている。調光制御部３１-Ａは、上記したメモリ３３-Ａを参照して選択した調光周波数に基づいて、信号生成部３４-Ａにおいてパルス幅変調信号Ｓ２を生成し、当該パルス幅変調信号Ｓ２を点灯回路３２-Ａへ出力する。【００５４】
続いて、本実施形態における調光周波数の選択動作について説明する。図１０は調光周波数選択フローのチャートを示す説明図である。
まず、設置態様スイッチＭＳは、使用者のスライド操作により受信した情報を、設置態様信号Ｓ３として出力し、当該設置態様信号Ｓ３が調光制御部３１-Ａに入力される（ステップＳ２０）。【００５５】
ここで、調光制御部３１-Ａは、設置態様信号Ｓ３に基づき、メモリ３３-Ａを参照する(ステップＳ２１)。このとき、受信した設置態様信号Ｓ３が、壁掛けモードを示す信号である場合には（ステップＳ２２；ＹＥＳ）、壁掛けモード用の調光周波数（本実施形態では２３０Ｈｚ）を選択する（ステップＳ２３）。さらに、調光制御部３１-Ａは、この選択した壁掛けモード用の調光周波数に基づいて、信号生成部３４-Ａにおいてパルス幅変調信号Ｓ２を生成し、当該パルス幅変調信号Ｓ２を点灯回路３２-Ａに出力する（ステップＳ２４）。【００５６】
他方、受信した設置態様信号Ｓ３が、壁掛けモードを示す信号でない場合には（ステップＳ２２；ＮＯ）、本実施形態においてはスタンド支持モードであることを示すこととなる。この場合、調光制御部３１-Ａは、メモリ３３-Ａに記憶されたスタンド支持モード用の調光周波数（本実施形態では２７０Ｈｚ）を選択する（ステップＳ２５）。さらに、調光制御部３１-Ａは、この選択したスタンド支持モード用の調光周波数に基づいて、信号生成部３４-Ａにおいてパルス幅変調信号Ｓ２を生成し、当該パルス幅変調信号Ｓ２を点灯回路３２-Ａに出力する（ステップＳ２４）。【００５７】
以上、本実施形態に係るテレビ受信装置ＴＶ-Ａは、調光周波数を選択するための設置態様スイッチＭＳを備え、調光周波数の選択が当該設置態様スイッチＭＳの操作に基づいて行われるものとなっている。
このような構成によれば、使用者が、設置態様に基づいて設置態様スイッチＭＳを操作することで、予め設定された複数の調光周波数のうち、最もうなり音が発生し難い調光周波数を選択することが可能となる。したがって、容易な作業により好適な調光周波数を選択することができ、うなり音の発生を抑制することが可能となる。【００５８】
＜実施形態３＞
次に、本発明の実施形態３を図１１ないし図１３によって説明する。この実施形態３では、実施形態１、２に対して調光周波数の選択手段をさらに変更したものを示す。なお、この実施形態３では、上記した実施形態１と同じ名称の部位には、同一の符号を用いるとともにその末尾に添え字-Ｂを付すものとし、構造、作用及び効果について重複する説明は省略する。
図１１は本実施形態に係るテレビ受信装置の構成を示す裏面図である。なお、図１１はスタンド支持モードとされたテレビ受信装置を示している。【００５９】
テレビ受信装置ＴＶ-Ｂは、図１１に示すように、下端部にスタンドＳを挿入するためのスタンド取付孔２が設けられている。さらに、スタンド取付孔２に隣接して、スタンドセンサ（設置態様検知部）ＳＳが取り付けられている。スタンドセンサＳＳは、スタンドＳの先端部（上端部）がスタンド取付孔２に挿入されたことを検知するセンサである。ここでは、スタンドセンサＳＳとしてタッチセンサを用いており、スタンド取付孔２の孔内に突出した検知部に、当該スタンド取付孔２に挿入されたスタンドＳが接触することで、該スタンドＳの挿入を検知することを可能とするものである。そして、その検知に基づいて、当該スタンドセンサＳＳは、テレビ受信装置ＴＶ-Ｂがスタンド支持モードとされていると判断して、スタンド支持モード信号Ｓ４を出力する。なお、スタンドセンサＳＳとしては、タッチセンサに限らず、光センサや磁気センサ等を選択することができる。【００６０】
上記したテレビ受信装置ＴＶ-Ｂにおける、パルス幅変調信号の調光周波数の選択に係る構成例について、図１２を用いて詳細に説明する。図１２は調光周波数の選択に係る構成を示すブロック図である。
制御基板３０-Ｂは、シャーシ１４の底部１４ａの外面側（冷陰極管１７-Ｂの反対側）に取り付けられており、調光制御部３１-Ｂと点灯回路３２-Ｂとを有する。【００６１】
調光制御部３１-Ｂは、メモリ３３-Ｂと信号生成部３４-Ｂとを含み、スタンドセンサＳＳから出力されるスタンド支持モード信号Ｓ４に基づいて、メモリ３３-Ｂを参照し、冷陰極管１７-Ｂの調光駆動を行うためのパルス幅変調信号Ｓ２の調光周波数を選択する。【００６２】
メモリ３３-Ｂには、スタンド支持モード信号Ｓ４に対応する欄と、それ以外の欄（本実施形態では壁掛けモードに対応する欄）が設けられており、スタンド支持モード信号Ｓ４に対しては調光周波数：２７０Ｈｚが記憶され、それ以外の場合には調光周波数：２３０Ｈｚが記憶されている。調光制御部３１-Ｂは、上記したメモリ３３-Ｂを参照して選択した調光周波数に基づいて、信号生成部３４-Ｂにおいてパルス幅変調信号Ｓ２を生成し、当該パルス幅変調信号Ｓ２を点灯回路３２-Ｂへ出力する。【００６３】
続いて、本実施形態における調光周波数の選択動作について説明する。図１３は調光周波数選択フローのチャートを示す説明図である。
スタンド取付孔２にスタンドＳが挿入されると、スタンドセンサＳＳからスタンド支持モード信号Ｓ４が出力される。ここで、調光制御部３１-Ｂは、スタンド支持モード信号Ｓ４を受信した場合には（ステップＳ３０；ＹＥＳ）、メモリ３３-Ｂのスタンド支持モード信号の欄を参照して（ステップＳ３１）、スタンド支持モード用の調光周波数（本実施形態では２７０Ｈｚ）を選択する（ステップＳ３２）。さらに、調光制御部３１-Ｂは、この選択したスタンド支持モード用の調光周波数に基づいて、信号生成部３４-Ｂにおいてパルス幅変調信号Ｓ２を生成し、当該パルス幅変調信号Ｓ２を点灯回路３２-Ｂに出力する（ステップＳ３３）。【００６４】
他方、スタンド支持モード信号Ｓ４を受信しない場合には（ステップＳ３０；ＮＯ）、本実施形態においては壁掛けモードとして使用されることを示すこととなる。この場合、調光制御部３１-Ｂは、メモリ３３-Ｂの壁掛けモード信号の欄を参照して（ステップＳ３４）、壁掛けモード用の調光周波数（本実施形態では２３０Ｈｚ）を選択する（ステップＳ３５）。さらに、調光制御部３１-Ｂは、この選択した壁掛けモード用の調光周波数に基づいて、信号生成部３４-Ｂにおいてパルス幅変調信号Ｓ２を生成し、当該パルス幅変調信号Ｓ２を点灯回路３２-Ｂに出力する（ステップＳ３３）。【００６５】
以上説明したように、本実施形態に係るテレビ受信装置ＴＶ-Ｂは、スタンド支持モードで使用されることを検知するスタンドセンサＳＳを備え、調光周波数の選択が当該スタンドセンサＳＳから出力されるスタンド支持モード信号Ｓ４に基づいて行われるものとなっている。
このような構成によれば、当該テレビ受信装置ＴＶ-Ｂ（液晶表示装置１０）を設置した際に、スタンド支持モードであればスタンドセンサＳＳがそれを検知し、検知結果に基づいて予め設定された複数の調光周波数のうち、最もうなり音が発生し難い調光周波数が選択されることが可能となる。この場合、使用者自身が調光周波数を切り替える手間を省略することができる。【００６６】
＜実施形態４＞
次に、本発明の実施形態４を図１４ないし図１６によって説明する。この実施形態４では、調光周波数の記憶構成を変更したものを示す。なお、この実施形態４では、上記した実施形態１と同じ名称の部位には、同一の符号を用いるとともにその末尾に添え字-Ｃを付すものとし、構造、作用及び効果について重複する説明は省略する。
図１４は本実施形態における調光周波数の選択に係る構成を示すブロック図、図１５はメモリに記憶された調光周波数のテーブルを説明する図である。【００６７】
調光周波数の選択に係る調光制御部３１-Ｃは、図１４に示すように、メモリ３３-Ｃと信号生成部３４-Ｃとを含み、リモコン受光部ＲＲ-Ｃから出力された周波数レベル信号Ｓ５に基づいて、メモリ３３-Ｃを参照し、冷陰極管１７-Ｃの調光駆動を行うためのパルス幅変調信号Ｓ２の調光周波数を選択する。【００６８】
メモリ３３-Ｃは、図１５に示すようなルックアップテーブルとされる。メモリ３３-Ｃには、第２列に互いに異なる５つの調光周波数が記載されており、それぞれの調光周波数に対して周波数レベル１〜５が一対一で関連付けられている（図１５中、第１列）。本実施形態では、周波数レベル１は、壁掛けモードを示すものとされ、調光周波数が２３０Ｈｚとなっている。また、周波数レベル５は、スタンド支持モードを示すものとされ、調光周波数が２７０Ｈｚとなっている。これらの間となる周波数レベル２，３，４は、それぞれ調光周波数２４０，２５０，２６０Ｈｚと関連付けられている。【００６９】
本実施形態に係るテレビ受信装置ＴＶ-Ｃは、リモコン受光部ＲＲ-Ｃを備え、使用者がリモコン装置ＲＣ-Ｃを操作することにより、調光周波数を選択可能な構成とされている。具体的には、リモコン装置ＲＣ-Ｃで、周波数レベルを周波数レベル１〜５の間で決定することができ、各周波数レベルに基づく信号がリモコン受光部ＲＲ-Ｃに送信される。【００７０】
続いて、本実施形態における調光周波数の選択動作について説明する。図１６は調光周波数選択フローのチャートを示す説明図である。
まず、リモコン受光部ＲＲ-Ｃは、使用者のリモコン装置ＲＣ-Ｃの操作に伴い受信した情報を、周波数レベル信号Ｓ５として出力し、当該周波数レベル信号Ｓ５が調光制御部３１-Ｃに入力される（ステップＳ４０）。【００７１】
ここで、調光制御部３１-Ｃは、周波数レベル信号Ｓ５に基づき、メモリ３３-Ｃを参照して(ステップＳ４１)、当該周波数レベルに関連付けられた調光周波数を選択する（ステップＳ４２）。さらに、調光制御部３１-Ｃは、この選択した調光周波数に基づいて、信号生成部３４-Ｃにおいてパルス幅変調信号Ｓ２を生成し、当該パルス幅変調信号Ｓ２を点灯回路３２-Ｃに出力する（ステップＳ４３）。【００７２】
以上のような構成によれば、壁掛けモードの場合には周波数レベル１を選択し、スタンド支持モードの場合には周波数レベル５を選択することで、うなり音の発生を抑制することが可能となる。さらに、万が一、上記した周波数レベルでうなり音の発生を十分に抑制できない場合には、使用者が周波数レベルをレベル１〜５の間で適宜選択することで、使用者自身が最もうなり音が抑制されていると感じる調光周波数を選択することが可能となる。【００７３】
＜他の実施形態＞
以上、本発明の実施形態について示したが、本発明は上記記述及び図面によって説明した実施形態に限定されるものではなく、例えば次のような実施形態も本発明の技術的範囲に含まれる。【００７４】
（１）上記した実施形態では、光源制御部として、予め複数の調光周波数が記憶されたメモリを備え、当該複数の調光周波数のうち任意の調光周波数を選択する構成を例示したが、本発明の構成はこれに限られない。例えば、当該表示装置の設置態様に応じて、光源制御部に備わる信号生成部に形成された論理回路等により、任意の調光周波数でパルス幅変調信号を生成する構成としても良い。【００７５】
（２）上記した実施形態では、調光周波数の選択構成として、使用者の操作による設置態様信号に基づく選択と、設置態様センサの検知結果に基づく選択とをそれぞれ別個に例示したが、この両選択構成を併有したものとしても良い。この場合、使用者の操作に基づく調光周波数の選択が、設置態様センサの検知結果に基づく選択より優先される構成とすることが、使い勝手の良さ、ひいては使用者満足度の充足という点から好ましい。【００７６】
（３）上記した実施形態では、液晶表示装置の設置態様として、壁掛けモードとスタンド支持モードとを想定した場合を示したが、とり得る設置態様はこれに限られるものではない。また、上記した２つの設置態様とは異なる設置態様においてうなり音が生じ難い調光周波数を、予め複数記憶させておく等の構成とした場合も本発明に含まれる。【００７７】
（４）上記した実施形態では、調光周波数を２３０Ｈｚ〜２７０Ｈｚの間で選択可能なものとしたが、これは任意の一構成において設定された調光周波数であり、これらの値及び範囲以外の調光周波数を用いたものも本発明に含まれる。【００７８】
（５）上記した各実施形態では、光源として冷陰極管を使用した場合を示したが、例えば熱陰極管など他の種類の光源を用いたものも本発明に含まれる。
【図１】
2009147946.tif 000003
【図２】
2009147946.tif 000004
【図３】
2009147946.tif 000005
【図４】
2009147946.tif 000006
【図５】
2009147946.tif 000007
【図６】
2009147946.tif 000008
【図７】
2009147946.tif 000009
【図８】
2009147946.tif 000010
【図９】
2009147946.tif 000011
【図１０】
2009147946.tif 000012
【図１１】
2009147946.tif 000013
【図１２】
2009147946.tif 000014
【図１３】
2009147946.tif 000015
【図１４】
2009147946.tif 000016
【図１５】
2009147946.tif 000017
【図１６】
2009147946.tif 000018
【国際調査報告】
2009147946.tif 000019
2009147946.tif 000020